(57)【特許請求の範囲】
【請求項１】
一面が開口し、導光体を含む照明光源部を収納するケースと、
フレーム開口の周縁に内向きに張り出したフランジ部と前記フレーム開口の周縁の外向きに張り出して表示面側の外形意匠を構成する意匠パネル部とを有し、前記ケースの開口部に取り付けられて、前記フランジ部が前記ケースとの間で前記導光体を挟持する意匠用フレームと、
表示面上に保護板が取り付けられ、前記保護板の外周部が前記意匠パネル部に固定されて、前記導光体により導光された光源からの光で背面側が照明される液晶表示パネルと、
前記液晶表示パネルが固定された前記意匠用フレームに前記意匠パネル部を介して組み付けられる裏面側の筐体本体とを備える電子機器。
【発明の詳細な説明】
【技術分野】
【０００１】
この発明は、液晶表示装置などの表示部を有した電子機器に関する。
【背景技術】
【０００２】
例えば、特許文献１には、液晶表示部を有した従来の一般的な構造の電子機器が開示されている。この電子機器は、開口部が形成されたフロント側ケースと、これに組み付けるリア側ケースとからなる筐体を備え、筐体内の開口部に対向する位置に液晶表示部を収納する。
【先行技術文献】
【特許文献】
【０００３】
【特許文献１】特開２００４−１８６１７１号公報
【発明の概要】
【発明が解決しようとする課題】
【０００４】
特許文献１に代表される従来の技術は、意匠パネルとなるフロント側ケースと液晶表示部とが別々の部品で構成されるため、液晶表示部とフロント側ケースとを固定するための構造が必要である。このため、構造が複雑化して、接着剤、ねじ、露光防止クッション、静電気破壊品などの部品点数が増える傾向にあった。部品点数が増加すると、製造工程の煩雑化や製品のコストアップに繋がる。【０００５】
また、液晶表示部とフロント側ケースとが別々部品であるため、液晶表示部とフロント側ケースの厚み寸法公差のレンジが広くなり、機器本体の厚みが厚くなる傾向にあった。この場合、フロント側ケースの表面に対する液晶表示部の表面の高さ位置を調整することが容易でない。このため、液晶表示部の表面の高さ位置を基準としてフロント側ケースに取り付けられる表示用透光窓を、フロント側ケースと同一面にすることが困難であった。
従来では、表示用透光窓をフロント側ケースから突出させたり、反対に凹ませるような意匠として対応する場合が多かった。【０００６】
この発明は、上記のような課題を解決するためになされたもので、部品点数を削減して薄型化を図ることができる電子機器を得ることを目的とする。
【課題を解決するための手段】
【０００７】
この発明に係る電子機器は、一面が開口し、導光体を含む照明光源部を収納するケースと、フレーム開口の周縁に内向きに張り出したフランジ部とフレーム開口の周縁の外向きに張り出して表示面側の外形意匠を構成する意匠パネル部とを有し、ケースの開口部に取り付けられて、フランジ部がケースとの間で導光体を挟持する意匠用フレームと、表示面上に保護板が取り付けられ、保護板の外周部が意匠パネル部に固定されて、導光体により導光された光源からの光で背面側が照明される液晶表示パネルと、液晶表示パネルが固定された意匠用フレームに意匠パネル部を介して組み付けられる裏面側の筐体本体とを備える。
【発明の効果】
【０００８】
この発明によれば、部品点数を削減して薄型化を図ることができるという効果がある。
【図面の簡単な説明】
【０００９】
【図１】液晶表示部を備えた電子機器を示す斜視図である。
【図２】従来の電子機器の構成を示す分解斜視図である。
【図３】従来の電子機器の構成を示す分解断面図である。
【図４】この発明の実施の形態１に係る電子機器の構造を示す分解斜視図である。
【図５】実施の形態１に係る電子機器の構造を示す分解断面図である。
【発明を実施するための形態】
【００１０】
以下、この発明をより詳細に説明するため、この発明を実施するための形態について、添付の図面に従って説明する。
実施の形態１．
図１は、液晶表示部を備えた電子機器を示す斜視図である。図１に示す電子機器１は、液晶表示部を備えたスマートフォンやＰＮＤ（Ｐｏｒｔａｂｌｅ  Ｎａｖｉｇａｔｉｏｎ  Ｄｅｖｉｃｅ）などの携帯用の電子機器である。電子機器１の意匠パネル部３には、保護板付きの液晶表示パネル２が表示面側に組み付けられ、裏面側ケース部４が裏面側に組み付けられる。
【００１１】
図２は、従来の電子機器の構成を示す分解斜視図であり、図１に示した電子機器の従来の一般的な構成（特許文献１に記載の構成）を概略的に示している。また、図３は、従来の電子機器の構成を示す分解断面図であり、図１のＡ−Ａ線で図２の電子機器の各部品を切った矢印方向の断面を示している。従来の電子機器１’は、図２に示すように、保護板付き液晶表示パネル２、意匠パネル部３’、裏面側ケース４’、バックライト保持用フレーム６、導光板７およびバックライト保持用ケース８’を備える。
【００１２】
保護板付き液晶表示パネル２は、図３に示すように、表示面側に保護板２ａが樹脂接着剤２ｂにより接着された液晶パネル２ｃから構成される。保護板２ａは、透明材料で形成され、液晶パネル２ｃの表示面を外部から保護する板状部材である。液晶パネル２ｃは、表示面側と裏面側の透明基板で液晶層を挟持した構造を有しており、液晶層に電界を印加する電極構造、カラーフィルタ、偏光板などで構成され、裏面側からバックライト光を照射されて画像を表示する。
【００１３】
バックライト保持用フレーム６は、フレーム開口の周縁に内向きに張り出したフランジ部６ａが形成されたフレームである。また、導光板７は、ＬＥＤなどのバックライト用光源（図２において不図示）から出射された光を、拡散光として液晶表示パネル２の裏面へ照射する。バックライト保持用ケース８’は、一面が開口したケースである。バックライト保持用ケース８’の開口部にバックライト保持用フレーム６を取り付けると、フランジ部６ａが、バックライト保持用ケース８’との間で導光板７を挟持して保持する。
なお、導光板７や各種の光学シート、光源などを含む照明光源部（導光板７以外は不図示）は、バックライト保持用フレーム６とバックライト保持用ケース８’とからなる保持筐体に収納される。
【００１４】
意匠パネル部３’は、電子機器１’の表示面側の外形意匠を構成する意匠筐体であり、保護板付き液晶表示パネル２と、導光板７を含む照明光源部が収納された保持筐体が配設される。また、裏面側ケース４’は意匠パネル部３’に組み付けられる筐体本体である。つまり、意匠パネル部３’および裏面側ケース４’が電子機器１’の筐体本体となる。
【００１５】
保護基板付き液晶表示パネル２の外周部は、図３に示すように両面粘着テープ５によりバックライト保持用フレーム６のフランジ部６ａに取り付けられる。また、バックライト保持用フレーム６には、図３に示すように導光板７を収納したバックライト保持用ケース８’が嵌合される。このとき、バックライト保持用フレーム６の側面に形成された係合孔部６ｂに、バックライト保持用ケース８’の側面に形成された係合爪部８ａ’が嵌め込まれて、バックライト保持用フレーム６とバックライト保持用ケース８’とが固定される。
【００１６】
なお、保護板付き液晶表示パネル２、バックライト保持用フレーム６および導光板７を収納するバックライト保持用ケース８’からなる構造体を保護板付き液晶モジュール９と呼ぶ。この保護板付き液晶モジュール９は、特許文献１に記載される表示部に相当する。
【００１７】
保護板付き液晶モジュール９は、ねじ１１によるねじ止めによって意匠パネル部３’に組み付けられる。このとき、図３に示すように、意匠パネル部３’の開口段差部と保護板２ａの外周部との間には弾性クッション１０が設けられる。弾性クッション１０は、意匠パネル部３’の開口段差部または保護板２ａの外周部に接着されて、意匠パネル部３’の開口段差部と保護板２ａの外周部を互いに接続するものではない。
これは、保護基板付き液晶表示パネル２の外周部が、両面粘着テープ５によりバックライト保持用フレーム６のフランジ部６ａに取り付けられていることから、弾性クッション１０を設けずに、保護板２ａの外周部を意匠パネル部３’の開口段差部に接着した場合、保護基板付き液晶表示パネル２が、異なる部材であるバックライト保持用フレーム６と意匠パネル部３’とに重複固定されて平面歪み応力が発生する。この平面歪み応力によって保護基板付き液晶表示パネル２が歪むと、表示ムラの原因となる。
このため、従来では、意匠パネル部３’の開口段差部と保護板２ａの外周部との間に、塵埃、水分などの浸入や液晶内部からの露光を回避するため、弾性クッション１０を設けている。
【００１８】
保護板付き液晶モジュール９を組み付けた意匠パネル部３’には、裏面側ケース４’が組み付けられる。このように、裏面側ケース４’内には、保護板付き液晶表示パネル２、バックライト保持用フレーム６、バックライト保持用ケース８’および意匠パネル部３’が順に配設される。従って、電子機器１’の厚みＡは、これらの構成部材の厚み寸法公差を考慮しなければならず、厚み寸法公差のレンジが広くなって厚みＡが厚くなる傾向にあった。
【００１９】
また、従来では、保護板付き液晶モジュール９においても、保護板付き液晶表示パネル２、バックライト保持用フレーム６およびバックライト保持用ケース８’の厚み寸法公差を考慮しなければならないため、意匠パネル部３’に対する保護板付き液晶モジュール９の出没を調整することが容易でなかった。このため、意匠パネル部３’の表示面側と保護板付き液晶モジュール９を同一面にすることが困難であり、やむなく意匠パネル部３’の表示面側から保護板付き液晶モジュール９を突出させるかあるいは凹ませるような意匠にする場合があった。
【００２０】
そこで、本発明では、バックライト保持用フレーム６の代わりに、フレーム開口の周縁に内向きに張り出したフランジ部、およびフレーム開口の周縁の外向きに張り出して表示面側の外形意匠を構成する意匠パネル部を有する意匠用フレームを使用する。すなわち、バックライト保持用フレーム６と意匠パネル部３’とを一体化したフレームで表示面側の意匠筐体を構成する。このように構成することで、部品点数を削減して薄型化を図ることができる。
【００２１】
図４は、この発明の実施の形態１に係る電子機器の構造を示す分解斜視図であり、実施の形態１に係る電子機器の構成を概略的に示している。また、図５は、実施の形態１に係る電子機器の構造を示す分解断面図であり、図１のＡ−Ａ線で図４の電子機器の各部品を切った矢印方向の断面を示している。電子機器１は、図２に示すように、保護板付き液晶表示パネル２、意匠用フレーム３、裏面側ケース４、導光板７およびバックライト保持用ケース８を備える。なお、保護板付き液晶表示パネル２は、図２および図３に示した従来の構成と同様である。
【００２２】
意匠用フレーム３は、フレーム開口の周縁に内向きに張り出したフランジ部３ａと、フレーム開口の周縁の外向きに張り出して表示面側の外形意匠を構成する意匠パネル部３ｂとを有するフレームである。この意匠用フレーム３は、バックライト保持用ケース８の開口部に取り付けられて、フランジ部３ａがバックライト保持用ケース８との間で導光板７を挟持する。
【００２３】
意匠用フレーム３の意匠パネル部３ｂには、保護板付き液晶表示パネル２の保護板２ａの外周部が固定される。裏面側ケース４は、保護板付き液晶表示パネル２が固定された意匠用フレーム３に意匠パネル部３ｂを介して組み付けられる。つまり、意匠用フレーム３および裏面側ケース４が電子機器１の筐体本体となる。
このように、表示面側の外形意匠を構成する意匠パネルと、導光板７などの内部部品を覆う保持筐体とを一体化した意匠用フレーム３を採用することにより、双方の構成部材による機能を得ることができ、かつ部品点数の削減が可能である。
【００２４】
意匠用フレーム３には、図５に示すように導光板７を収納したバックライト保持用ケース８が嵌合される。このとき、意匠用フレーム３の側面に形成された係合孔部３ｃに、バックライト保持用ケース８の側面に形成された係合爪部８ａが嵌め込まれて、意匠用フレーム３とバックライト保持用ケース８とが固定される。
【００２５】
保護板付き液晶表示パネル２、意匠用フレーム３および導光板７を収納するバックライト保持用ケース８からなる構造体を、保護板付き液晶モジュール１２と呼ぶ。
保護板付き液晶モジュール１２においては、保護板２ａの外周部が両面粘着テープ５によって意匠用フレーム３の意匠パネル部３ｂに取り付けられるだけであり、構造が簡素化されている。例えば、従来のように、保護板付き液晶モジュール９を意匠パネル部３’に組み付けるためのねじ止め構造を省略することができる。
【００２６】
また、保護板付き液晶モジュール１２では、保護板２ａの外周部を意匠パネル部３ｂに固定して保護板付き液晶表示パネル２を意匠用フレーム３に取り付けるので、従来のように保護基板付き液晶表示パネル２が異なる構成部材に重複固定されることを懸念する必要がない。
【００２７】
保護板付き液晶モジュール１２には、意匠パネル部３を介して裏面側ケース４が組み付けられる。このように、裏面側ケース４内には、保護板付き液晶表示パネル２、意匠用フレーム３およびバックライト保持用ケース８が順に配設される。
従って、実施の形態１に係る電子機器１は、厚み寸法公差を考慮すべき部材が削減されるため、電子機器１の厚みＢは、従来の電子機器１’の厚みＡよりも薄型に構成することが可能である。
【００２８】
また、実施の形態１に係る電子機器１では、意匠用フレーム３に対する保護板付き液晶モジュール１２の出没について、保護板付き液晶表示パネル２と両面粘着テープ５との厚み寸法公差のみを考慮すればよい。このため、意匠用フレーム３に対する保護板付き液晶モジュール１３の出没を容易に調整でき、意匠の自由度を高めることができる。例えば、従来では困難であった、意匠用フレーム３の表示面側と保護板付き液晶モジュール１２を同一面にする意匠の電子機器を容易に作成できる。
【００２９】
なお、表面メッキなどを含む導電性部材で意匠用フレーム３を構成することで、静電気による破壊を防止することができる。この場合、導電性部材と非導電性部材を一体に成形して意匠用フレーム３を作成してもよい。このように構成することで、例えば導電性部材における金属に近い外観部と非導電性部材における樹脂などの外観部とが混在した意匠を実現することができ、意匠の自由度をさらに向上できる。
【００３０】
以上のように、この実施の形態１によれば、一面が開口し、導光板７を含む照明光源部を収納するバックライト保持用ケース８と、フレーム開口の周縁に内向きに張り出したフランジ部３ａとフレーム開口の周縁の外向きに張り出して表示面側の外形意匠を構成する意匠パネル部３ｂとを有し、バックライト保持用ケース８の開口部に取り付けられて、フランジ部３ａがバックライト保持用ケース８との間で導光板７を挟持する意匠用フレーム３と、表示面上に保護板２ａが取り付けられ、保護板２ａの外周部が意匠パネル部３ｂに固定されて、導光板７により導光された光源からの光で背面側が照明される保護板付き液晶表示パネル２と、保護板付き液晶表示パネル２が固定された意匠用フレーム３に意匠パネル部３ｂを介して組み付けられる裏面側の筐体本体である裏面側ケース４とを備える。
このように構成することで、部品点数を削減して薄型化を図ることができる。
【００３１】
なお、本発明はその発明の範囲内において、実施の形態の任意の構成要素の変形、もしくは実施の形態の任意の構成要素の省略が可能である。
【産業上の利用可能性】
【００３２】
この発明に係る電子機器は、部品点数を削減して薄型化を図ることができることから、ユーザに携帯されて様々な環境で使用される携帯端末の表示装置に好適である。
【符号の説明】
【００３３】
１，１’  電子機器、２  保護板付き液晶表示パネル、２ａ  保護板、２ｂ  樹脂接着剤、２ｃ  液晶パネル、３  意匠用フレーム、３ａ，６ａ  フランジ部、３ｂ  意匠パネル部、３ｃ，６ｂ  係合孔部、３’  意匠パネル部、４，４’  裏面側ケース、５  両面粘着テープ、６  バックライト保持用フレーム、７  導光板、８，８’  バックライト保持用ケース、８ａ，８ａ’  係合爪部、９，１３  保護板付き液晶モジュール、１０  弾性クッション、１１  ねじ。
【図１】
0005562505.tif 000002
【図２】
0005562505.tif 000003
【図３】
0005562505.tif 000004
【図４】
0005562505.tif 000005
【図５】
0005562505.tif 000006